(57)【要約】【課題】自動車の車内、室内、冷蔵庫庫内、トイレ、風呂場等密閉可能な空間内でかつ空気を取り入れる取入れ口を有する該空間内を二酸化塩素を用いて脱臭及び殺菌器を提供する。【解決手段】エアコン等空気吐きだし口に通気性外箱及び安定化二酸化塩素担体を腐食布で包装した内袋からなる容器を取り付けることにより、安定的に発生する二酸化塩素を用いて密封空間を脱臭、殺菌する方法を提供する。【選択図】図１
2016214810.tif 000002
【特許請求の範囲】
【請求項１】
自動車の車内、室内、冷蔵庫庫内、トイレ、風呂場等密閉可能な空間内でかつ空気を取り入れる取入れ口を有する該空間内を二酸化塩素を用いて脱臭及び殺菌器。
【請求項２】
密閉空間が自動車の車内であり、空気取入れ口がエアーコンディショナー（以下エアコンという）である請求項１の脱臭及び殺菌器。
【請求項３】
二酸化塩素の発生源が亜塩素酸ナトリウムと水酸化ナトリウム及びセピオナイトで構成され、空気と接触することにより二酸化塩素を発生することを特長とする粉体（以下発生原体という）を包装し、定常的に二酸化塩素を発生する請求項１の脱臭及び殺菌器。
【請求項４】
外箱が紙またはプラスチックであり、内側が撥水性でかつ通気性を有する不織布で構成される請求項１の脱臭及び殺菌器。
【請求項５】
外箱に通気用穴を有する請求項１の脱臭及び殺菌器。
【発明の詳細な説明】
【技術分野】
【０００１】  本発明は自動車の車内、室内、冷蔵庫庫内、トイレ、風呂場等密閉可能な空間内でかつ空気を取り入れる取入れ口を有する該空間内を二酸化塩素を用いて脱臭及び殺菌器に関するものである。
【背景技術】
【０００２】  二酸化塩素は塩素原子上に不対電子を３個もつラジカルであり、反応性が高く、強い酸化力をもつことから、ウイルス除去、除菌、消臭、坑カビ等のはたらきを有することが知られている。しかし、二酸化塩素は非常に不安定であるため、長期の保存や運搬には不向きであり、高濃度では爆発の危険性があるなど問題が有り、その問題を解消するために種々の方法が提案されている。【０００３】  安定化二酸化塩素と吸水性樹脂とからなるゲル状組成物が提案されている（例えば、特許文献１参照。）が、ほとんど二酸化塩素ガスを発生しないなど問題が有る。それを解決するために、安定化二酸化塩素と吸水性樹脂とからなるゲル状組成物に紫外線を照射する方法（例えば、特許文献２参照。）が提案されているが、紫外線照射装置との組み合わせが必要である。【０００４】  溶存二酸化塩素ガス、亜塩素酸塩及び酸性に保つｐＨ調整剤を構成成分に有する純粋二酸化塩素剤並びに高吸水性樹脂を含有することを特徴とするゲル状組成物が提案されている（例えば、特許文献３参照。）が、溶存二酸化塩素の分解により長期保存するには適さない。【０００５】  亜塩素酸塩水溶液に、活性化剤と、吸水性樹脂と保水剤とを添加しゲル化させる方法（例えば、特許文献４参照。）が提案されているが、使用時に薬剤を添加する必要があり、しかも添加後の反応をコントロールできないため添加後数日は高濃度二酸化塩素ガスが発生する問題が有った。【０００６】  亜塩素酸ナトリウムと水酸化ナトリウムを無機担体に担持させ、空気と反応させる事により二酸化塩素を徐々に発生させる製剤技術（例えば、特許文献５参照。）が提案されている。しかし、担体が粉体であるため、安定化二酸化塩素担体と空気を反応させる事が困難であった。【０００７】  更に二酸化塩素は分子量約６７．５、密度３．０４ｇ／ｃｍ３と極めて重いガスである。このため、二酸化塩素を広く拡散させるためには、大きな空気の流れが必要となる。現状市販されている二酸化塩素を用いた脱臭、除菌器は有効成分である二酸化塩素を広い範囲に拡散させているとは言い難い。
【先行技術文献】
【特許文献】
【０００８】
【特許文献１】特開昭６１−１８１５３２号公報
【特許文献２】特開２０００−２０２００９号公報
【特許文献３】特開平１１−２７８８０８号公報
【特許文献４】特開２００７−１８０７号公報
【特許文献５】特開２０１１−１７３７５８号公報
【発明の概要】
【発明が解決しようとする課題】
【０００９】  本発明は提供されている安定化二酸化塩素担体（以下原塩素担体という）と空気（特に二酸化炭素と水蒸気）を有効に反応させると同時に発生した二酸化塩素を広い範囲に拡散させる事を目的としている。
【課題を解決するための手段】
【００１０】  本発明は自動車に代表される密閉空間において、密閉空間内に空気の流れを取り込みかつ空気の流れを作り出す空気の取入れ口（エアコン送風部）に原塩素担体を安全に包装した容器に充填し、取り付ける事を特長とする脱臭、殺菌器である。【００１１】  本発明で用いる原担体は、これまで提案されている様々な形状のものを用いる事が可能である。しかし、徐放性、扱いやすさを考慮すれば、好ましくは、特開２０１１−１７３７５８号公報に開示されている原塩素担体である。【００１２】  本発明で有効性を発揮できる密閉空間として、自動車車内、冷蔵庫、トイレ、風呂場等が挙げられる。また、事務所、居間、台所、寝室等部屋単位でも、十分な空気の攪拌（エアコン等による）があれば、有効である。【００１３】  本発明の取り付け場所は、空気の流れの上流側、即ちエアコンの空気噴出し口が好ましい。また、可能な限り上部に取付ける事が更に好ましい。これは、有効成分である二酸化塩素はより広い範囲に拡散可能となると同時に、原塩素担体と新鮮で乾燥した空気が十分に反応するためである。【００１４】  本発明における脱臭及び殺菌器の構成は、通気穴とエアコンの噴出し口取付具を有する外箱と安定化原塩素担体を包装する通気性不織布を用いた内袋で構成することが望ましい。
これは、製品を製造、管理する上で容易であると同時に、様々な商品への応用が可能となるためである。【００１５】  本発明における外箱の材質は、紙、プラスチック、金属等一般的な材料を使うことが可能である。使い捨てにする場合は紙、再利用する場合はプラスチックが好ましい。材料の厚さは１〜３ｍｍが好ましい。【００１６】  本発明における内袋は、通気性があり、かつ撥水性を有する不織布が好ましい。不織布は耐アルカリ性、抗酸化性を有することが好ましく、材質としてはポリエチルテレフタレート（ＰＥＴ）樹脂が好ましい。【００１７】  本発明で用いる原塩素担体の重量は、車の大きさによっても異なるが、３〜８ｇが好ましい。これは、車の車内容積とエアコンの使用時間から計算可能である。【００１８】  本発明における原塩素担体を包装した内袋の保存は、密封性の高い包装材と湿度コントロール用のシリカゲルを同封した包装袋を用いる必要がある。包装材としては、アルミ蒸着ポリエチレンフィルム、塩化ビニリデン、ポリクロロトリフルオロエチレン、アルミＰＥＴ複層フィルムなどが使用できる。
【発明の効果】  本発明により二酸化塩素の有用性はより身近になり、手軽により衛生的な環境の構築が可能となると思われる。
以下、図を用いてより具体的に本発明を説明する。
【図面の簡単な説明】
【００１９】
【図１】本発明における外箱の概観図
【図２】本発明における内袋の概観図
【実施例】
【００２０】  本発明における外箱を図１の様にケント紙（厚さ３ｍｍ）で作製した。通気孔の大きさはφ２ｍｍとした。エアコン取付用具は車種によりエアコン噴出し部分の形状が異なるため、自由度が大きいフック状とした。
内袋は原塩素原体（ダイソー（株）製）５ｇを不織布（旭化成製）に充填し、圧着により包装を行った。
これを自家用車のエアコンに装着し、試験を行ったところ、有意な消臭効果が得られた。
【図１】
2016214810.tif 000003
【図２】
2016214810.tif 000004